(57)【要約】  本発明は、（ａ）酵素、界面活性剤および可溶化剤としての少なくとも１種の多価アルコールを含み、液相に存在する液体出発洗濯洗剤溶液を製造するステップと、（ｂ）液体洗濯洗剤溶液（Ａ）を得るために液体出発洗濯洗剤溶液に石鹸を配合するステップであって、液体洗濯洗剤溶液は、過飽和のために二相であるステップと、（ｃ）ステップａ）の多価アルコールに不溶性の少なくとも２種の異なる洗浄活性固体成分を液体洗濯洗剤溶液（Ａ）に混合して、液体連続外側二成分相としてのステップｂ）からの液体過飽和二相洗濯洗剤溶液（Ａ）、および固相としての少なくとも２種の洗浄活性固体成分を含有する洗濯洗剤分散液（Ｂ）を得るステップと、（ｄ）最終生成物が四相系となるように、洗濯洗剤分散液（Ｂ）を固体担体基材（Ｃ）に塗布するステップとを特徴とする、四相強力洗濯洗剤ワイプの製造方法を開示する。さらに、固体担体基材（Ｃ）と、担体基材に塗布された洗濯洗剤分散液（Ｂ）とを含む四相強力洗濯洗剤ワイプであって、洗濯洗剤分散液は、酵素、界面活性剤および石鹸、ならびに可溶化剤としての少なくとも１種の多価アルコールを含有する、液体連続外側二成分相としての液体過飽和二相洗濯洗剤溶液（Ａ）と、可溶化剤に不溶性の固相としての少なくとも２種の異なる洗浄活性固体成分とを含有することを特徴とする、四相強力洗濯洗剤ワイプが開示される。【特許請求の範囲】
【請求項１】
（ａ）酵素、界面活性剤および可溶化剤としての少なくとも１種の多価アルコールを含み、液相中に存在する液体出発洗濯洗剤溶液を製造するステップと、
（ｂ）液体洗濯洗剤溶液（Ａ）を得るために液体出発洗濯洗剤溶液に石鹸を配合するステップであって、前記液体洗濯洗剤溶液は、過飽和のために二相であるステップと、
（ｃ）ステップａ）の前記多価アルコールに不溶性の少なくとも２種の異なる洗浄活性固体成分を液体洗濯洗剤溶液（Ａ）に混合して、液体連続外側二成分相としてのステップｂ）からの液体過飽和二相洗濯洗剤溶液（Ａ）、および固相としての前記少なくとも２種の洗浄活性固体成分を含有する洗濯洗剤分散液（Ｂ）を得るステップと、
（ｄ）最終生成物が四相系となるように、前記洗濯洗剤分散液（Ｂ）を固体担体基材（Ｃ）に塗布するステップと
を含むこと特徴とする、四相強力洗濯洗剤ワイプの製造方法。
【請求項２】
（ａ’）脂肪酸を石鹸に中和するステップをさらに含む、
請求項１に記載の四相強力洗濯洗剤ワイプの製造方法。
【請求項３】
前記液体洗濯洗剤溶液Ａが、石鹸量によって過飽和にされていることを特徴とする、
請求項１または２に記載の四相強力洗濯洗剤ワイプの製造方法。
【請求項４】
前記可溶化剤が、プロピレングリコールまたはグリセロールであることを特徴とする、
請求項１から３の一項または複数項に記載の四相強力洗濯洗剤ワイプの製造方法。
【請求項５】
前記第１の洗浄活性固体成分が、ゼオライトおよび／またはフィロケイ酸塩であり、前記第２の洗浄活性成分が、漂白剤および／またはその活性剤であることを特徴とする、
請求項１から４の一項または複数項に記載の四相強力洗濯洗剤ワイプの製造方法。
【請求項６】
前記漂白剤および／または前記酵素が、コーティング物質によって囲まれていることを特徴とする、
請求項５に記載の四相強力洗濯洗剤ワイプの製造方法。
【請求項７】
前記固体担体基材（Ｃ）が、疎水性特性を有することを特徴とする、
請求項１から６の一項または複数項に記載の四相強力洗濯洗剤ワイプの製造方法。
【請求項８】
前記固体担体基材（Ｃ）が、ホモポリマーエンドレス繊維からなることを特徴とする、
請求項７に記載の四相強力洗濯洗剤ワイプを製造する方法。
【請求項９】
固体担体基材（Ｃ）と、前記担体基材に塗布された洗濯洗剤分散液（Ｂ）とを含む四相強力洗濯洗剤ワイプであって、前記洗濯洗剤分散液は、酵素、界面活性剤および石鹸、ならびに可溶化剤としての少なくとも１種の多価アルコールを含有する、液体連続外側二成分相としての液体過飽和二相洗濯洗剤溶液（Ａ）と、前記可溶化剤に不溶性の固相としての少なくとも２種の異なる洗浄活性固体成分とを含有することを特徴とする、
四相強力洗濯洗剤ワイプ。
【請求項１０】
前記液体洗濯洗剤溶液（Ａ）が、石鹸量によって過飽和されていることを特徴とする、
請求項９に記載の四相強力洗濯洗剤ワイプ。
【請求項１１】
前記可溶化剤が、プロピレングリコールまたはグリセロールであることを特徴とする、
請求項９または１０に記載の四相強力洗濯洗剤ワイプ。
【請求項１２】
前記第１の洗浄活性固体成分が、ゼオライトおよび／またはフィロケイ酸塩であり、前記第２の洗浄活性成分が、漂白剤および／またはその活性剤であることを特徴とする、
請求項９から１１のいずれか一項に記載の四相強力洗濯洗剤ワイプ。
【請求項１３】
前記漂白剤および／または前記酵素が、コーティング物質によって囲まれていることを特徴とする、
請求項１２に記載の四相強力洗濯洗剤ワイプ。
【請求項１４】
前記固体担体基材（Ｃ）が、疎水性特性を有することを特徴とする、
請求項９から１３のいずれか一項に記載の四相強力洗濯洗剤ワイプの製造方法。
【請求項１５】
前記固体担体基材（Ｃ）が、ホモポリマーエンドレス繊維からなることを特徴とする、
請求項１４に記載の四相強力洗濯洗剤ワイプ。
【発明の詳細な説明】
【技術分野】
【０００１】
本発明は、洗浄活性物質の制御された活性化を可能にする四相強力洗濯洗剤ワイプ（four-phase heavy-duty laundry detergent wipes）およびその製造方法に関する。
【背景技術】
【０００２】
衛生は、人類が始まって以来、終始追求されている。結局のところ、衛生は、日常生活の重要な側面である。衛生的なアプローチは、主に健康を維持することにある。一般的な清浄化作用に加えて、原料組成物の香りおよび改善された清浄力もまた、より広い可能性のために詳しく調査されている。清浄力の最適化は、衛生的に清浄な状態を延長する能力および清浄化の程度の改善によって特に特徴付けられる。
【０００３】
今日では、衛生は、身体、表面、および布地の衛生の分野に分けることができる。後者は、布地材料および色に応じて用途に分けられる。少なくとも２０世紀の９０年代以降、消費者のエコクリーニングに対する意識が高まっている。これに関して、一方では従来の洗浄洗剤の利点を維持し、他方ではさらなる革新的かつ環境保護的に実現可能な製品の解決策を見出すことが望ましい。
【０００４】
工業生産の開始と共に、洗濯洗剤は粉末として実現されてきた。今日、粉末洗濯洗剤はさまざまな洗浄活性物質の混合物からなっている。
【０００５】
洗濯洗剤の開発中の進歩により、酵素および他の新しい界面活性剤組成物がこの市場セグメントに参入した。清浄化に必要な物質に加えて、今日では大量の充填材料が添加されている。したがって、消費者の投入行動を変える必要はなかった。充填材料を省略しようとする最初の試みは、使用者がその使用法に慣れてしまっているために、界面活性剤の過剰投入をもたらした。
【０００６】
次いで、液体洗剤が導入され、これは残留物を含まずに投与できるため、洗濯洗剤の固体の混合物の物理的代替品となった。しかしながら、今までの液体洗浄洗剤は、強力洗濯洗剤（すなわち固体の混合物）の清浄化レベルに達成していない。これは、液体洗浄洗剤が液体成分または水によく溶ける成分に限定されることに起因する。洗浄洗剤中の必須物質の組み合わせは、界面活性剤、酵素、漂白剤、石鹸（液体洗剤中）および硬水軟化剤（ゼオライト）の組み合わせである。
【０００７】
市販の洗濯機を使用した最適な清浄化のための別の重要な因子は、洗浄プロセス中の洗浄活性物質の適時投入である。一般的な洗濯用洗剤（粉末および液体洗濯洗剤）では、これは洗浄プログラムまたは別の投入室を介して実現される。
【０００８】
現在の製品の傾向は、洗浄洗剤を分割する方法である。これは、一方では、液体洗浄洗剤を小型ポリマーパウチに詰めることによって達成することができる。この場合、ポリマーパウチが溶解した時点で全ての洗浄活性物質が放出される。
【０００９】
洗浄洗剤の別の物理的改変は、所望の形態を達成するために洗浄洗剤を脂肪アルコールと混合することにある。この場合、洗浄活性物質は洗剤／脂肪アルコール混合物の構造の溶解を介して放出される。
【００１０】
ＤＥ１０２０１００６０１２６Ａ１に開示されているように、多相生成物を提供することができる。そこに開示されている洗濯洗剤ワイプは、担体材料を含浸液（二相生成物）と組み合わせることを特徴とする。親水性担体材料および溶液の好ましい使用は、小型ポリマーパウチに詰められた液体洗剤に関連して上述したポリマーパウチの溶解に匹敵する洗い流しプロセスをもたらす。より早い時点での活性化のみを観察することができた。
【００１１】
本出願人によるＤＥ１０２０１３０１４０１５Ａ１は、固体上三相系（液中固相）が提供されるように、周囲温度で固体である基材に分散液が塗布される、より最適化された生成物を開示している。初めての分散体の使用によって、粉末洗浄洗剤（ゼオライト、フィロケイ酸塩）の特徴を有する清浄力を達成することができた。主に疎水性の担体基材が使用されてきたのは、二相系と比較して洗濯洗剤分散液が多量の洗浄活性物質のために親水性の特性も有するためである。このようにして、より長期間にわたる洗浄活性物質の活性化（相放出拡散）を観察することができた。
【００１２】
酵素は、清浄化中に重要な役割を果たす。清浄化中、それらはデンプン、卵黄、卵白、血液、脂肪、バター、油等の群の汚れを除去する目的を果たす。界面活性剤は問題の布地表面からのこれらの汚れの結合および処理をもたらすだけであるため、界面活性剤のみの使用はこれらのカテゴリーにおける同等の汚れ除去を可能にしない。これまでのところ、粉末洗剤において、漂白剤（酸素供与体およびそれらの活性剤）ならびに酵素は、それらの化学的不適合性にもかかわらず、１つの配合物内で使用することができるが、それは、これらの遊離体が固体中で粉末の物理的形態で、したがって最初は不活性形態で利用可能であるためである。しかしながら、これらの成分の溶解は、漂白剤による酵素の分解をもたらす相互作用をもたらし、それはそれらの失活をもたらし得る。
【００１３】
この問題を克服するために、本出願人によるＤＥ１０２０１４００８５８６Ａ１は、洗濯洗剤、特に洗濯洗剤ワイプを開示しており、洗濯洗剤および洗濯洗剤ワイプは、それぞれ、イオン性ポリマー層によって囲まれ、酸素供与体およびそれらの活性剤が組み込まれているワックス状マトリックスを含有するカプセル系を含むため、漂白剤（酸素供与体およびそれらの活性剤）ならびに酵素がそれらの相互不適合性に影響を及ぼすことなく使用され得る。酸素供与体およびそれらの活性剤の活性化は、酵素および漂白剤（酸素供与体およびそれらの活性剤）の効果的な使用を可能にするワックス状マトリックスを選択することによって制御することができ、洗浄サイクルの開始時に、約３０℃からその性能を開始する酵素が放出される。その後に初めて、ワックス状マトリックスの外側ポリマー層が、少なくとも４０℃の洗浄プログラムを使用してさらに加熱する間に溶解および溶融し、その結果、酸素供与体およびそれらの活性剤は、この後の時間、つまり、酵素がすでに機能し、おそらく洗浄プログラムにおける洗浄活性の低下または排水のために（例えば予備洗浄サイクルの後に）もはや存在しなくなった後の時間になって初めて活性化される。したがって、洗濯洗剤および洗濯洗剤ワイプ中の洗浄活性物質（ここでは特に酵素および漂白剤、すなわち酸素供与体およびそれらの活性剤）の時間遅延温度依存性活性化が達成される。
【００１４】
しかしながら、以下の問題が依然として残される。
−漂白剤は水溶液中の酵素と反応する。
−漂白剤は４０℃超の温度で水中で活性化される。
−石鹸は解離するとアルカリ性のｐＨレベルを有するが、漂白剤はアルカリ性媒体中では安定しない。
【００１５】
したがって、本発明の目的は、一方で漂白剤およびそれらの活性剤ならびに他の洗浄活性成分の効果的に制御された活性化を可能にする洗濯洗剤製品を提供し、他方で液体洗剤の組成物（相当量の石鹸を特徴とする）を使用して品質を損なうことなく経済的な製造および効果的な保存を提供することである。品質基準は、例えば利用可能な有効成分である。
【先行技術文献】
【特許文献】
【００１６】
【特許文献１】ＤＥ１０２０１００６０１２６Ａ１
【特許文献２】ＤＥ１０２０１３０１４０１５Ａ１
【特許文献３】ＤＥ１０２０１４００８５８６Ａ１
【発明の概要】
【発明が解決しようとする課題】
【００１７】
本発明の１つの目的は、漂白剤およびそれらの活性剤ならびに他の洗浄活性成分（界面活性剤、石鹸、硬水軟化剤、酵素）の効果的に制御された活性化を可能にする洗濯洗剤製品を提供することである。本発明のさらなる目的は、品質を損なうことなく経済的な製造および効果的な保存を可能にする洗濯洗剤製品を提供することである。
【課題を解決するための手段】
【００１８】
これらの目的は、（ａ’）任意選択で脂肪酸を石鹸に中和するステップと；（ａ）酵素、界面活性剤および可溶化剤としての１種以上の多価アルコールを含有し、液相中に存在する液体非水性出発洗濯洗剤溶液を製造するステップと；（ｂ）液体洗濯洗剤溶液を得るために液体出発洗濯洗剤溶液に石鹸を配合するステップと；（ｃ）ステップａ）の多価アルコールに不溶性の少なくとも２種の異なる洗浄活性固体成分を液体洗濯洗剤溶液に混合して、液体連続外側二成分相としての液体洗濯洗剤溶液、および固相としての少なくとも２種の洗浄活性固体成分を含有する洗濯洗剤分散液を得るステップと、（ｄ）洗濯洗剤分散液を固体担体基材に塗布するステップとを特徴とする、四相強力洗濯洗剤ワイプの製造方法によって、
好ましくは、（ａ’）任意選択で脂肪酸を石鹸に中和するステップと；（ａ）酵素、界面活性剤および可溶化剤としての１種以上の多価アルコールを含有し、液相中に存在する液体出発洗濯洗剤溶液を製造するステップと；（ｂ）液体洗濯洗剤溶液を得るために液体出発洗濯洗剤溶液に石鹸を配合するステップであって、液体洗濯洗剤溶液は、過飽和のために二相であるステップと；（ｃ）多価アルコールに不溶性の少なくとも２種の異なる洗浄活性固体成分を液体洗濯洗剤溶液に混合して、液体連続外側二成分相としての液体過飽和二相洗濯洗剤溶液、および固相としての少なくとも２種の洗浄活性固体成分を含有する洗濯洗剤分散液を得るステップと、（ｄ）最終生成物が四相系となるように、洗濯洗剤分散液を固体担体基材に塗布するステップとを特徴とする、四相強力洗濯洗剤ワイプの製造方法によって達成された。
【００１９】
これらの目的はまた、固体担体基材と、担体基材に塗布された三相洗濯洗剤分散液とを含む四相強力洗濯洗剤ワイプであって、三相洗濯洗剤分散液は、石鹸で過飽和され、酵素、界面活性剤および石鹸、ならびに可溶化剤としての少なくとも１種の多価アルコールを含有する、液体連続外側二成分相としての液体二相洗濯洗剤溶液と、可溶化剤に不溶性の固相としての少なくとも２種の異なる洗浄活性固体成分とを含有することを特徴とする、四相強力洗濯洗剤ワイプにより達成される。
【００２０】
本発明による強力洗濯洗剤ワイプおよびその製造方法の有利な実施形態は、従属請求項から得ることができる。
【００２１】
「洗濯洗剤溶液」という用語は、本発明によれば、１つ以上の生体触媒、好ましくは酵素または細胞抽出物、特に洗濯洗剤または清浄化洗剤を製造するのに適した酵素を含む組成物を意味する。したがって、本発明による三相の強力洗濯洗剤ワイプはまた、その組成物中に１種以上の機能的な無傷の生体触媒、特に酵素を含有する。
【００２２】
「周囲温度」という用語は、本発明によれば、生体触媒が不可逆的に不活性化されない温度範囲、好ましくは約５〜５０℃、特に好ましくは約１５〜３０℃を意味する。
【００２３】
本発明によれば、用語「％」は、別段に示されない限り、重量％（ｗ／ｗ）を意味する。
【００２４】
「分散液」という用語は、本発明によれば、好ましくは懸濁液、特に好ましくは連続相として液相を有する懸濁液、したがって過飽和による二相液−液である懸濁液を意味する。具体的には、それは粗分散懸濁液に属し得る。
【００２５】
用語「多価アルコール」は、本発明によれば、好ましくはＣ３〜Ｃ１０、より好ましくはＣ３〜Ｃ７の炭素鎖長を有する直鎖または分岐鎖の二価または三価アルコール、特にプロピレングリコールおよびグリセロールを意味する。本発明によれば、水およびメタノール、エタノールまたはプロパノール等の一価アルコールは、それぞれ、洗濯洗剤溶液および出発洗濯洗剤溶液のそれぞれ可溶化剤および成分として除外される。
【００２６】
「洗浄活性固体成分」という用語は、本発明によれば、好ましくは、ａ）例えばポリカルボキシレート、ゼオライトおよび／またはフィロケイ酸塩等のビルダー／水軟化剤、ならびにｂ）例えば過炭酸塩および／またはカプセル化されたＰＡＰ等の漂白剤、ならびにｃ）例えばＴＡＥＤ等のそれらの活性剤を意味する。これは、本発明に従い定義される洗濯洗剤溶液に不溶であるか、またはそれらが本発明に従い定義される洗濯洗剤溶液に可溶であることを確実にする配合物中に提供されるビルダー／硬水軟化剤、漂白剤および活性剤のみを含む。本発明による「洗浄活性固体成分」はまた、本発明に従い定義される洗濯洗剤溶液に可溶である、当業者に公知のコーティングされたおよび／またはカプセル化された洗浄活性成分である。
【００２７】
「担体基材」という用語は、本発明によれば、固形担体基材、好ましくは１００℃までで固体であり、本発明に従い定義される洗濯洗剤溶液が含浸されている洗濯洗剤ワイプとして適切であり、また例えば単一繊維形成が回避されるように一般的な家庭用洗浄プロセスにおける機械的および熱的負荷の下でその構造を維持する担体基材を意味する。特に好ましい担体基材は、任意選択で誘導体化された、ポリエチレン、ポリプロピレン、ポリエステル（例えばポリラクチド）、ポリアミド（例えばポリカプロラクタム）、またはセルロース（ビスコース）等のホモポリマーである。さらに、これらの材料は、エンドレス繊維、エンドレスフィラメント、または高圧下で固化するものとして好ましい。
【００２８】
「石鹸」という用語は、本発明によれば、好ましくはＣ１０〜Ｃ１８脂肪酸のＮａ＋またはＫ＋塩を意味する。
【００２９】
「過飽和」という用語は、本発明によれば、好ましくは石鹸を洗濯洗剤溶液に配合した後に、好ましくは５０℃未満、特に３５℃未満の温度で洗濯洗剤溶液の二成分液相の形成をもたらす量の石鹸による洗濯洗剤溶液の過飽和を意味する。過飽和は、洗濯洗剤溶液（すなわち固体なし）の重量に対して１〜３０重量％の間、好ましくは５〜２５重量％の間、さらにより好ましくは１０〜２０重量％の間の石鹸量によって特に達成される。
【発明を実施するための形態】
【００３０】
本発明は、洗濯洗剤ワイプの形態の、漂白剤および他の洗浄活性成分の制御放出のための新たな系を提供する。最新技術による湿潤ワイプは、不織布上への低粘度溶液／ローションの適用を可能にするために、常に水またはエタノール（表面清浄化のため）を含有する。これらの物質は高い極性（高い親水性）を有し、界面活性剤、保存剤および乳化剤の可溶化剤として機能する。このため、均質な含浸および高度の含浸を達成するために、親水性繊維および高い毛管力を有する担体材料（不織布）がそれぞれ使用される。
【００３１】
本発明に従い定義される洗濯洗剤溶液の特定の組成を除き、本発明による強力洗濯洗剤ワイプの一般的な構造および製造については、本出願人によるＤＥ１０２０１３０１４０１５Ａ１およびＤＥ１０２０１４００８５８６Ａ２を参照されたい。本発明による強力洗濯洗剤ワイプでは、漂白剤および他の洗浄活性成分の制御放出は、洗浄プロセス中の水の添加によってのみ開始する。本発明によれば、本出願人によるＤＥ１０２０１３０１４０１５Ａ１およびＤＥ１０２０１４００８５８６Ａ２による強力洗濯洗剤ワイプとは異なり、これは、複数の反応性成分（漂白剤、硬水軟化剤）が最初は固体形態（粗分散液および／またはコロイド分散懸濁液）で存在するように、水等の一般的な可溶化剤とは対照的により極性の低い液体を使用することによって達成することができる。適切な物質は、多価アルコール、特にプロピレングリコールまたはグリセロールであるが、これは、それらがごく低い毒性を有し、したがって人間、動物および環境に対して僅かな汚染しか引き起こさないためである。一般的な液体洗濯洗剤では水が可溶化剤として使用され、多価アルコールが安定剤として機能するのに対して、本発明では後者が可溶化剤として使用される（すなわち、本発明の洗濯洗剤溶液および強力洗濯洗剤において）。それらは、液体洗濯洗剤の特性を維持するために必要である一方で、水が回避されるため保存剤の量をかなり低減することができ、これは、臨界希釈量（ＣＤＶ）が関係する限り、より良好なライフサイクルアセスメントをもたらす。さらに、プロピレングリコールは、洗濯洗剤溶液がその上／中にそれぞれ適用および配合される固体担体基材の吸収挙動を決定付ける。担体基材に特に適しているのは、それぞれ疎水性単分子エンドレス繊維およびエンドレスフィラメントの繊維、特にポリプロピレンまたはポリエチレンである。この点において、本発明による強力洗濯洗剤ワイプは、それが水も一価アルコールも含有しないことを特に特徴とする。
【００３２】
本発明による系は、以下の特徴を有する。
−保存中の洗浄活性成分（漂白剤および活性剤、酵素、界面活性剤）の間の、ならびに任意選択で香り成分（香料）との間の望ましくない反応の阻害。
−本発明による強力洗濯洗剤ワイプに水を添加する／洗浄サイクルの温度を上昇させることにより開始される、洗剤溶液中での洗浄プロセスの開始時／開始後にのみ、上記の洗浄活性成分を活性化すること。
−担体基材に対する洗浄活性物質の量がより多いことによる、強力洗濯洗剤ワイプのより高い効率および有効性。
【００３３】
本発明はまた、液体「疎水性」相を有する四相強力洗濯洗剤ワイプの製造方法を提供する。この方法は、（ａ’）任意選択で脂肪酸を石鹸に中和するステップと；
（ａ）酵素、界面活性剤および可溶化剤としての少なくとも１種の多価アルコール（例えばプロピレングリコールまたはグリセロール）を含有する液体出発洗濯洗剤溶液を製造するステップと（製造は、従来技術による水を含有する洗濯洗剤溶液の製造と同様に行われる）；
（ｂ）液体洗濯洗剤溶液Ａを得るために液体出発洗濯洗剤溶液に石鹸を配合する（例えばディスペンサまたはホモジナイザを用いて）ステップであって、液体洗濯洗剤溶液は、石鹸の過飽和のために二相である（すなわち周囲温度で２つの液相に分離する）ステップと；
（ｃ）多価アルコールに不溶性の少なくとも２種の異なる洗浄活性固体成分（例えば漂白剤および／またはそれらの活性剤、ならびにゼオライトおよび／またはフィロケイ酸塩）を液体洗濯洗剤溶液Ａに混合して、液体連続外側二成分相としての液体過飽和二相洗濯洗剤溶液Ａ、および固相としての少なくとも２種の洗浄活性固体成分を含有する洗濯洗剤分散液Ｂを得るステップと；
（ｄ）洗濯洗剤分散液Ｂを固体担体基材Ｃに塗布するステップと
を含む。
【００３４】
本発明による好ましい洗浄活性成分／構成要素は、以下のクラスの物質を含む。
−漂白剤および／またはそれらの活性剤
−コーティングもしくはカプセル化漂白剤および／またはそれらのコーティングもしくはカプセル化活性剤
−酵素
−コーティングまたはカプセル化酵素
−蛍光増白剤
−界面活性剤
−硬水軟化剤（例えばゼオライト、フィロケイ酸塩等）
【００３５】
洗濯洗剤および本発明による強力洗濯洗剤ワイプに一般的に使用される漂白剤（酸素供与体およびそれらの活性剤）は、以下の通りである。
−過ホウ酸塩
−過酸化水素
−フタルイミド−ペルオキソ−カプロン酸
−次亜塩素酸塩
−ＴＡＥＤ（テトラアセチルエチレンジアミン）
−塩素酸塩
−過マンガン酸塩
−過炭酸塩
【００３６】
洗濯洗剤に一般的に使用される酵素は、以下の通りである。
−プロテアーゼ
−セルラーゼ
−リパーゼ
−アミラーゼ
【００３７】
これらは、本発明による強力洗濯洗剤ワイプにも使用される。
【００３８】
本発明によれば、洗濯洗剤懸濁液およびローションは、それぞれ以下からなる。
【００３９】
【表１】
2020505482.tif 000002
【００４０】
【表２】
2020505482.tif 000003
【００４１】
【表３】
2020505482.tif 000004
【００４２】
【表４】
2020505482.tif 000005
【００４３】
【表５】
2020505482.tif 000006
【００４４】
【表６】
2020505482.tif 000007
【００４５】
「汚れ除去ポリマー」（ＳＲＰ）は、当業者に公知の親水性ポリマーであり、これは、より良い防汚性のために繊維および織物の表面特性を変化させる。ＳＲＰは、織布地への汚れのより深い浸透から衣類を保護する。同時に、それらは布地の清浄化に使用される洗浄活性物質の有効性を高める。さらに、ＳＲＰは、洗浄プロセス中に汚れが繰り返し堆積するのを妨げる。低温ですでに有効であることから、それらはエネルギー消費の削減にも寄与する。
【００４６】
「コンディショナー」は、織布地（例えばウール、ケラチン等）に対して高い持続性を有するカチオン性官能基を有する当業者に公知の物質（例えば、ポリマー）である。結果として、コンディショナーは繊維上に堆積し、それらの機能的特徴により布地繊維のコンディショニングに異なる効果（疎水化、親水化等）を提供する（例えば、ウール用洗濯洗剤では通常、平滑化、ほぐれおよび抗ピリング性（Ｋｎｕｂｂｅｌｂｉｌｄｕｎｇ）が望ましい）。
【００４７】
洗濯洗剤分散液およびローションの、プロピレングリコールまたはグリセロール等の可溶化剤および洗浄活性成分それぞれに不溶性の機能性添加剤は、それぞれ少なくとも２つの固体を含有する。第１の固体はゼオライトおよび／またはフィロケイ酸塩であり、他のものは漂白剤および／またはその活性剤によって与えられる。分散液は、疎水性担体基材に統計的に固定されている。
【００４８】
実験では、漂白剤が以前にコーティングされている場合、保存中の安定性、活性、ならびに資源効率が高められ得ることが示された。コーティングは、安定なコーティング材料による洗浄活性漂白剤の封入物である。多くの異なるコーティング材料が当業者に公知であり、本出願人のＤＥ１０２０１４００８５８６Ａ１に開示されている。コーティング材料の化学修飾に応じて、溶解および経時的な利用可能性に関する速度論的特性は、不織布相（すなわち固体担体材料）の拡散プロセスを介して制御され得る。
【００４９】
強力洗濯洗剤ワイプの「多用途」の変形例を製造するための、洗濯洗剤分散液およびローションそれぞれの構成要素間の最適な関係を、以下に記載する。
【００５０】
【表７】
2020505482.tif 000008
【００５１】
【表８】
2020505482.tif 000009
【表９】
2020505482.tif 000010
【国際調査報告】
2020505482.tif 000011
2020505482.tif 000012
2020505482.tif 000013
2020505482.tif 000014
2020505482.tif 000015
2020505482.tif 000016